(57)【要約】【課題】同時に個体の組織標本を採取し、保存用容器に保存可能とする組織検体採取器具、組織保存容器一体型識別票及び固有識別票装着方法を得る。【解決手段】２つのハンドル１ａ、１ｂの中央部が相互に連結され、一方の端部側を握ることにより他方の端部側が可動とされ、他方の端部の第１の先端部に動植物体の一部分の組織を貫通する貫通体２と、他方の端部の第２の先端部に貫通体を受容し、且つ該貫通部により動植物体の一部分の組織を切り取った該組織を収容するための容器を収容する組織採取容器部３とを備えて構成する。本構成により、識別票装着と同時に、動植物を識別するための識別符号が記載された識別票と連結された容器へ、切り取った組織を収容可能とする。これにより、識別票の装着と組織標本の採取を一度に行う事ができる。【選択図】　　　　図１
2004144527.tif 000002
【特許請求の範囲】
【請求項１】
２つのハンドルの中央部が相互に連結され、一方の端部側を握ることにより他方の端部側が可動とされ、
前記他方の端部の第１の先端部に動植物体の一部分の組織を貫通する貫通体と、
前記他方の端部の第２の先端部に前記貫通体を受容し、且つ該貫通部により前記動植物体の一部分の組織を切り取った該組織を収容するための容器を収容する組織採取容器部とを備え、
前記動植物を識別するための識別符号が記載された識別票と連結された前記容器へ前記切り取った組織を収容可能としたことを特徴とする組織検体採取器具。
【請求項２】
前記貫通体は、前記動植物体の一部分の組織を貫通するための組織票固定用突起と一体とされた識別票上部を支持する組織票上部支持棒により構成されたことを特徴とする請求項１記載の組織検体採取器具。
【請求項３】
前記組織採取容器部は、前記切り取った該組織を収容するための組織採取容器と該組織採取容器と連結された識別票下部の、前記組織採取容器を装着可能に構成されたことを特徴とする請求項１または２記載の組織検体採取器具。
【請求項４】
先端部に動植物体の一部分の組織を貫通する貫通体を備え前記動植物を識別するための識別符号を記載するための識別票上部と、
前記貫通体により前記動植物体の一部分の組織を切り取った該組織を収容するための容器と前記動植物を識別するための識別符号が記載された識別票とが連結された識別票下部とを有して構成されたことを特徴とする組織保存容器一体型識別票。
【請求項５】
前記貫通体は、前記動植物体の一部分の組織を貫通するための組織票固定用突起と一体とさて構成されたことを特徴とする請求項４記載の組織保存容器一体型識別票。
【請求項６】
前記組織票固定用突起の先端部に、前記切り取った組織を収容した前記容器を密閉するための密閉蓋が装備されて構成されたことを特徴とする請求項５記載の組織保存容器一体型識別票。
【請求項７】
２つのハンドルの中央部が相互に連結され、一方の端部側を握ることにより他方の端部側が可動とされた識別票装着用器具を操作する操作工程と、
前記操作工程において他方の端部の第１の先端部に動植物体の一部分の組織を貫通する貫通体と、前記他方の端部の第２の先端部に前記貫通体を受容し、且つ該貫通体により前記動植物体の一部分の組織を切り取った該組織を収容する組織採取工程とを備え、
前記動植物を識別するための識別符号が記載された識別票と連結された前記容器へ前記切り取った組織を収容する手順を効率的に実行可能としたことを特徴とする固有識別票装着方法。
【発明の詳細な説明】
【０００１】
【発明の属する技術分野】
本発明は、組織検体採取器具、組織保存容器一体型識別票及び固有識別票装着方法に関する。特に、本発明は、牛、豚、鶏、馬等の家畜動物及び作物、野菜、花、樹木などを問わず、動植物体の個体の識別の為の固有番号・記号を付した識別票装着及び研究・検査目的の組織標本の採取を同時に行う事を可能とする、組織検体採取器具、組織保存容器一体型識別票及び固有識別票装着方法に関する。
【０００２】
【従来の技術】
従来、組織検体採取器具、組織保存容器一体型識別票及び固有識別票装着方法として、これまで一般的に行われてきた個体識別票の装着は、識別票を個体に装着する事のみを目的としている。また、研究・検査目的の組織標本の採取は、採取する事のみを目的としている。
【０００３】
個体の組織・遺伝子標本の採取に際しては、粘着テープにて動物体から毛根を有する毛髪を採取する方法や、血液を採取する方法、さらには、牛の場合、個体識別用の耳標のついた耳そのものを屠畜（とちく）場で採取するなどの方法が行われている。
【０００４】
一方で、狂牛病の発生のような伝染病等の万一の発生において、消費者の安全確保の観点から、汚染・関連のある家畜や作物等を速やかに市場から分離する為に、市場から産地までの由来の追跡システム作りが急務とされている。
このような必要性に基き既に日本国政府により、全ての牛は、法令により固有の番号（耳標番号）で管理され、個々の牛は、識別の為の耳標（管理番号を記したタグ）の装着が義務付けられている。
【０００５】
組織標本の採取では、上記の管理体制が円滑かつ適正に機能しているか科学的に検証する為に、遺伝子分析による動植物個体の識別検査が実用化されている。この個体識別技術は、予め保存された組織又は遺伝子標本と市場や野外で採取された組織又は遺伝子標本の遺伝子配列を照合する事をもって個体遺伝子の同一性を識別するものである。
【０００６】
このため、照合を行う場合の基礎となる組織又は遺伝子標本を適切に採取保存する事は、かかる個体識別研究・検査の基礎となるものである。
日本における狂牛病の発生及び食品における原産地虚偽表示等に起因した、消費者の食品の素性や安全性に対する不安が急速に高まっている。
【０００７】
すなわち個体識別票と組織体の収集は、あくまでも別個のものとして扱われ、また組織体の採取については、他の個体からの組織体や毛髪、唾液等の混入についての十分な対策が行われていなかった。同様に、植物体においても、識別票を装着とは別に、葉、茎等の植物体を切除の上、採取する方法が用いられている。
【０００８】
食品表示の正当性や原産地の適正な表示を管理する上で、食品分野における原材料や、食肉市場における家畜の由来、農作物、野菜、花、樹木等の由来（原産地・素性）を合理的に管理する為の手法が、消費者の食品安全性や表示への信頼性の維持において益々重要な課題となっている。
【０００９】
一方、個体の組織・遺伝子標本の採取に際しては、粘着テープにて動物体から毛根を有する毛髪を採取する方法や、血液を採取する方法、さらには、牛の場合、個体識別用の耳標のついた耳そのものを屠畜場で採取するなどの方法が行われている。すなわち個体識別票と組織体の収集は、あくまでも別個のものとして扱われ、また組織体の採取については、他の個体からの組織体や毛髪、唾液等の混入についての十分な対策が行われていなかった。同様に、植物体においても、識別票を装着とは別に、葉、茎等の植物体を切除の上、採取する方法が用いられている。
【００１０】
本発明と技術分野の類似する先願発明例１として、特開２００１−１１４６０１号公報の「遺伝子情報としてのＤＮＡの保管方法」がある。本先願発明例１では、人の細胞から採取したＤＮＡを長期保存に耐える形とし、本人がペンダントなどに収納して保管することとしている。これにより、遺伝子情報として有用なＤＮＡを本人が、携帯あるいは安置という形で保管出来るとしている。
【００１１】
先願発明例２としての特開２０００−１５１１８７号公報の「遺伝子の保存方法およびこの方法に用いる遺伝子保存用位牌」がある。本先願発明例２では、身体の所定部位から遺伝子を含む試料を採取し、遺伝子固定紙に塗り付けて乾燥させ、次いで、位牌の所定の個所に遺伝子固定紙を格納する、としている。
【００１２】
【発明が解決しようとする課題】
しかしながら、これらの方法を用いた場合、下記の問題点を伴う。
１）動物体の場合、体表面に付着した他の個体の唾液等に含まれる遺伝子や、粘着テープ、ブラシ等を操作する人間の手に付着した他の個体の組織、唾液、血液その他遺伝子や組織の混入の危険がある。
【００１３】
これらの他の個体からの遺伝子を含む組織体の混入は、遺伝子分析を用いた個体識別検査においては、検査そのものを不能なものとする危険性を有している。この危険性は、他の個体の遺伝子が混入している為、遺伝子配列の照合結果は、同一性を示さなくなることに起因する。
【００１４】
２）ナイフ等により組織を切除する場合、同一ナイフを他の個体の標本採取に使用する場合、十分な洗浄により別の個体の組織・血液等の除去を行わないと採取標本に別個体の血液、体液、組織断片の付着により、採取標本以外の他の個体の組織等の混入の危険性がある。
【００１５】
３）識別票と標本の採取・保存が別途に行われる為、人為的な標本の個体識別票の識別番号の誤りが発生する恐れがある。
４）屠畜場で耳標（識別票）のついた耳そのものを組織標本として採取する場合、前述の使用する切除の為のナイフからの他の個体組織の汚染以外に、採取標本が大きくなり、標本保存の為、多大な空間が必要となりコスト・手間が増大する。また耳の切断後の標本の保存は、他の標本との接触をさける必要があり、標本の隔離分別、保存には、多大な労力を必要とする。
【００１６】
５）野生動物への識別票の装着は個体への負荷を最小限とする為、可能な限り短時間で行う事が必要であり、識別票の装着と検体の採取を別々に行う場合、より煩雑な手間を要する。
【００１７】
６）研究者による直接標本採取を除く、かかる組織標本は、一般の農家、屠畜場作業員等にゆだねられる。従って、遺伝子の混入や他の組織体の混入に対する科学的知識を高い水準で期待する事はできず、適正な標本の採取が継続して実施されるかどうかについての危険性がある。
【００１８】
例えば上記の牛の個体について、生育された牛（個体番号は耳標に記載されている）と屠畜場で処理された後、一般市場で販売される食肉が、同一のものであるか科学的に検証する場合、牛が屠畜場で処理されるまでに当該個体についての遺伝子標本を保持していなければ、仮に市中から照合用の肉を入手しても実際の遺伝子分析による照合は行う事ができない。
【００１９】
７）稀少野生動物の保護においても、個体追跡の目的で個体の識別の為の識別票が装着される事がかねてより行われているが、遺伝子分析技術の進歩にあわせて、当該稀少野生生物の生態系や血統を研究する場合、識別票と同時に組織遺伝子標本の採取が研究上重要な課題となっている。また採取が禁止されている保護野生植物についても、市場での違法な販売を防止する為に、野生植物についての遺伝子標本を保持しておく事が必要であるかもしれない。
【００２０】
本発明は、動植物個体に個体識別の為の識別票を装着する際、同時に当該個体の組織標本を採取し、保存用容器に保存するものであり、識別票の装着と組織標本の採取を一度に行う事ができる、組織検体採取器具、組織保存容器一体型識別票及び固有識別票装着方法を提供することを目的とする。
【００２１】
【課題を解決するための手段】
かかる目的を達成するため、本発明の組織検体採取器具は、２つのハンドルの中央部が相互に連結され、一方の端部側を握ることにより他方の端部側が可動とされ、他方の端部の第１の先端部に動植物体の一部分の組織を貫通する貫通体と、他方の端部の第２の先端部に貫通体を受容し、且つ該貫通部により動植物体の一部分の組織を切り取った該組織を収容するための容器を収容する組織採取容器部とを備え、動植物を識別するための識別符号が記載された識別票と連結された容器へ切り取った組織を収容可能としたことを特徴とする。
【００２２】
また、上記の貫通体は、動植物体の一部分の組織を貫通するための組織票固定用突起と一体とされた識別票上部を支持する組織票上部支持棒により構成され、組織採取容器部は、切り取った該組織を収容するための組織採取容器と該組織採取容器と連結された識別票下部の、組織採取容器を装着可能に構成されるとよい。
【００２３】
本発明の組織保存容器一体型識別票は、先端部に動植物体の一部分の組織を貫通する貫通体を備え動植物を識別するための識別符号を記載するための識別票上部と、貫通体により動植物体の一部分の組織を切り取った該組織を収容するための容器と動植物を識別するための識別符号が記載された識別票とが連結された識別票下部とを有して構成されたことを特徴とする。
【００２４】
また、上記貫通体は、動植物体の一部分の組織を貫通するための組織票固定用突起と一体とさて構成され、組織票固定用突起の先端部に、切り取った組織を収容した容器を密閉するための密閉蓋が装備されて構成されるとよい。
【００２５】
本発明の固有識別票装着方法は、２つのハンドルの中央部が相互に連結され、一方の端部側を握ることにより他方の端部側が可動とされた識別票装着用器具を操作する操作工程と、この操作工程において他方の端部の第１の先端部に動植物体の一部分の組織を貫通する貫通体と、他方の端部の第２の先端部に貫通体を受容し、且つ該貫通体により動植物体の一部分の組織を切り取った該組織を収容する組織採取工程とを備え、動植物を識別するための識別符号が記載された識別票と連結された容器へ切り取った組織を収容する手順を効率的に実行可能としたことを特徴とする。
【００２６】
【発明の実施の形態】
次に、添付図面を参照して本発明による組織検体採取器具、組織保存容器一体型識別票及び固有識別票装着方法の実施の形態を詳細に説明する。図１から図６を参照すると、本発明の組織検体採取器具、組織保存容器一体型識別票及び固有識別票装着方法の一実施形態が示されている。
【００２７】
本発明の組織検体採取器具、組織保存容器一体型識別票及び固有識別票装着方法は、上記従来の課題を解決する為に、識別票に組織検体の採取・保存の為の容器を組み込み一体化し、識別票の装着と同時に、組織標本が保存容器に採取されるようにした。これと同時に、識別票の装着器具は、専用のものとして識別票と組織標本採取・保存容器を適切に保持し、かつ識別票の装着を容易なものとした。さらに識別票と採取保存容器には同一の記号を表示する事で、採取された組織標本と識別票の合致を徹底させた。これら構成の内容を以下に詳述する。
【００２８】
図１は、本発明の実施形態に基く組織検体採取器具の構成例を示す側面図である。本図１において、本実施形態の組織検体採取器具は、パンチ状に構成され、握りハンドル１、識別票上部支持棒２、下部支持部３を有して構成される。なお、下部支持部の内部には、採取容器装着穴３１が構成されている。
【００２９】
上記構成の握りハンドル１ａ、１ｂは、これら上下のハンドルを握り締めることにより、支点を中心に点線図示方向へ可動に構成されている。本可動により、識別票上部支持棒２が、下部支持部の内部に構成された採取容器装着穴３１へ、挿入移動可能とされる。
【００３０】
図２は、図１に示した組織検体採取器具の使用例を説明するための概念的な側面図を示している。さらに述べれば本図２は、図１の組織検体採取器具を用いての組織保存容器一体型識別票及び固有識別票装着方法の一例を説明するための図である。実施形態の組織保存容器一体型識別票は、図１に示した組織検体採取器具へ適用され、固有識別票装着方法の一例が構成される。本図２に示した実施形態の組織保存容器一体型識別票は、識別票上部４１、識別票下部４２、組織採取容器４５、識別票下部押さえ（装着時）４３の各部を有して構成される。なお、本図２は、被採取の動植物組織５を、識別票上部４１、および識別票下部４２のそれぞれにより挟んだ状態例を表している。
【００３１】
図３および図４は、組織保存容器一体型識別票及び固有識別票装着方法の構成内容を、より詳細に示した図である。固有識別票装着方法の手順例において、図３が組織保存容器一体型識別票の装着動作実行前、図４が組織保存容器一体型識別票の装着動作実行後の、それぞれの状態例を表している。
【００３２】
組織保存容器一体型識別票の装着動作実行前を表している図３において、被採取の動植物組織５を、識別票上部４１、および識別票下部４２のそれぞれが挟んだ状態にある。この識別票上部４１には、識別票固定用突起４１１が構成されている。また、識別票上部４１の識別票固定用突起先端部には、チューブ密閉蓋４４が構成されている。
識別票下部４２には、組織保存用チューブ４５が設けられている。
【００３３】
図３に示した被採取の動植物組織５を、識別票上部４１、および識別票下部４２のそれぞれが挟んだ状態から、図４の組織保存容器一体型識別票の装着動作実行後の状態への動作手順例を以下に示す。
識別票４１の突起部４１１が組織体５を貫通し、組織票下部（受け）４２の部分に装着された組織保存用チューブ４５に採取動植物組織５１を押し込む。これと同時に、チューブ密閉蓋４４が、組織保存用チューブ４５の容器体を密閉する。組織票自体は、組織票固定用突起４１１で固定される。組織票４１、４２は、ポリウレタン等の柔軟性を有する素材で構成されることが望ましい。
【００３４】
上記の実施例において、保存チューブ４５は、採取動植物組織５１の採取必要量に応じて、各種サイズを用意しておくとよい。また、保存用チューブ４５のサイズを９６穴様０．５ｍｌ径とすれば、汎用自動分析器用のプレートに装着可能となる。
本実施形態の組織保存容器一体型識別票において、識別票表面に識別記号、バーコード４６、４７等を印刷・表示し、標本保存チューブ４５に同じ記号・番号の表示されたものを１式とするとよい。
【００３５】
図５および図６は、識別票４の構成例を示している。二種類の構成例を示すこれらの図５および図６において、平面図（ａ）および側面図（ｂ）により構成内容が図示される。
図５は、識別票４１ａ、４２ａの中央部に切断用切れ込み部４１２が構成され、上下識別票４１ａ、４２ａが一体とされた構成例である。また、図６は、平面構造が円形状の構成例を示している。
汎用識別票形式（野生生物、豚等の家畜、植物体用）において、識別票の大きさは、用途に合わせて用意するとよい。
【００３６】
本発明においては、識別票は、任意の形状に加工したものが使用でき、牛用の耳標、豚用の識別票、その他馬、鶏用の識別票など異なる識別票を使用できる。また採取する組織標本の容量に合わせて採取・保存容器を変える事で、研究・検査に必要な検体を適切に採取できるようになる。
【００３７】
本発明により採取された組織検体は、識別票装着時に、識別票の固定の為の支持軸が動植物体を貫通（例えば耳等）する際、その先端に、標本採取と、容器密閉蓋をかねたキャップが組織体を保存容器に挿入する。
識別票の固定が完了と同時に、保存容器には、組織標本が採取され、また密閉蓋が保存容器に密着し、組織標本を保存容器中に密閉する。その後、この保存容器をはずす事で、識別票と同じ識別記号が表示された組織標本が採取される事になる。
【００３８】
この一連の過程においては、操作を行う者が組織標本にふれる事はない。また、組織標本の採取に際して他の個体からの標本採取に使用された、いかなる器具も組織標本に触れることはない。このため、採取された組織標本は、他の個体の組織の混入の恐れがないものとなる。
保存容器は、密閉され、個体と同一の識別記号が表示されており、複数の個体からの組織標本を連続して採取する場合においても、標本を取り違える恐れはない。
【００３９】
また標本の採取について、他の個体からの遺伝子や組織体の標本中への混入を防止する点についての科学的な知識がなくとも、本発明を用いれば採取者が採取される組織体にふれる事もなく、また組織採取の為の器具を使い回す必要もない。この為、適正かつ安定した状態での標本採取が行える。
この発明は、生体からの組織標本の採取以外に、屠畜場においける枝肉からの組織標本の採取においても有効である。
【００４０】
屠畜場において既に個体識別用の耳標が装着された個体を受け入れ、当該個体の組織標本を採取保存する場合においても、「組織保存済み」及び入荷に際して得られた耳標番号が記載された識別票を使用した本発明を使用すれば枝肉には、組織保存済みという完了表示及び目的の組織標本が他の個体と混同される事なく採取できる。さらに耳標が装着された耳そのものを切除保存する方法に比べて検体の量は少ない上、保存に適した容器に密封されている事から、他の個体からの血液や毛髪の混入や保存スペースの削減が可能となる。
【００４１】
さらに、標本採取に際して採取された組織標本は、識別票装着時に、そのまま保存容器に収納される為、他の個体の組織があやまって混入したり、外部の物質の汚染を心配する事なく、良好な状態で組織標本を採取・保存可能とする。
また識別票と同一の識別記号を保存容器に予め表示する事により、採取された標本を他の個体の組織標本と取り違える事も防止している。
【００４２】
なお、上述の実施形態は本発明の好適な実施の一例である。ただし、これに限定されるものではなく、本発明の要旨を逸脱しない範囲内において種々変形実施が可能である。
【００４３】
【発明の効果】
以上の説明より明らかなように、本発明の組織検体採取器具、組織保存容器一体型識別票及び固有識別票装着方法は、２つのハンドルの中央部が相互に連結され、一方の端部側を握ることにより他方の端部側が可動とされ、他方の端部の第１の先端部に動植物体の一部分の組織を貫通させ、他方の端部の第２の先端部に貫通体を受容し、且つ該貫通部により動植物体の一部分の組織を切り取った該組織を収容する。これにより、動植物を識別するための識別符号が記載された識別票と連結された容器へ、切り取った組織を効率的に収容可能となる。
【図面の簡単な説明】
【図１】本発明の組織検体採取器具、組織保存容器一体型識別票及び固有識別票装着方法の実施形態が適用される構成例を示す側面図である。
【図２】図１に示した組織検体採取器具の使用例を説明するための概念的な側面図を示している。
【図３】組織保存容器一体型識別票及び固有識別票装着方法の構成内容を、より詳細に示した図である。
【図４】組織保存容器一体型識別票及び固有識別票装着方法の構成内容を、より詳細に示した図である。
【図５】識別票の第１の構成例を示している。
【図６】識別票の第２の構成例を示している。
【符号の説明】
１　握りハンドル
２　識別票上部支持棒
３　下部支持部
５　被採取の動植物組織
３１　採取容器装着穴
４１　識別票上部
４２　識別票下部
４３　識別票下部押さえ（装着時）
４４　チューブ密閉蓋
４５　組織採取容器（組織保存用チューブ）
４６、４７　バーコード
５１　採取動植物組織
４１１　識別票固定用突起
【図１】
2004144527.tif 000003
【図２】
2004144527.tif 000004
【図３】
2004144527.tif 000005
【図４】
2004144527.tif 000006
【図５】
2004144527.tif 000007
【図６】
2004144527.tif 000008